(57)【要約】【課題】原稿シートを載置セットする第１プラテンと、原稿シートを所定速度で移動する第２プラテンとの間を移動するキャリッジに搭載した光源の第２プラテンでの発熱量を軽減する。【解決手段】原稿を載置セットし原稿画像を読取る第１プラテンと原稿を所定速度で走行させて原稿画像を読取る第２プラテンを並設し、この第１、第２プラテンの間で移動するキャリッジに光源を搭載する。このとき、第２プラテンの原稿読取面を第１プラテンの原稿読取面に対して光源に接近するように段差を形成し、第２プラテンでの光源の発光量を落とすと共に、前記結像光学手段と前記画像読取センサまでの距離を同一距離に、前記第２プラテンガラスの厚さを、前記第１プラテンガラスの厚さに対し、前記第１、第２プラテンガラスの前記結像光学手段までの各空気換算距離が等しくなる厚さに設定する。【選択図】図２
2011049827.tif 000002
【特許請求の範囲】
【請求項１】
原稿シートを載置セットして原稿画像を読取るための第１プラテンガラスと、
前記第１プラテンガラスに並設され、原稿を所定速度で走行させて原稿画像を読取るための第２プラテンガラスと、
前記原稿画像に読取り光を照射する照明光源を搭載したキャリッジと、
前記プラテンガラス上の原稿画像を線順位で光電変換する画像読取センサと、
前記原稿画像からの反射光を前記画像読取センサに結像するための結像光学手段と、
前記キャリッジを前記第１、第２プラテンガラスとの間で移動可能に支持する走行ガイド手段と、
前記走行ガイド手段に沿って前記キャリッジを移動するキャリッジ駆動手段と、
前記照明光源の光量を調整する調光手段と、
前記キャリッジ駆動手段と前記調光手段を制御する制御手段と、
を備え、
前記第２プラテンガラスの原稿コンタクト面と、前記第１プラテンガラスの原稿コンタクト面との間には段差が設けられ、
この段差は、前記第２プラテンガラス上の原稿画像が前記第１プラテンガラス上の原稿画像より前記光源に接近した位置となるように形成され、
前記制御手段は、前記キャリッジを前記第１プラテンガラスと第２プラテンガラスとの間で位置移動する際に、前記調光手段で前記照明光源を前記段差に応じた光量
に調整すると共に、
前記結像光学手段と前記画像読取センサまでの距離を同一距離に、前記第２プラテンガラスの厚さを、前記第１プラテンガラスの厚さに対し、前記第１、第２プラテンガラスの前記結像光学手段までの各空気換算距離が等しくなる厚さに設定したことを特徴とする画像読取装置。
【請求項２】
前記第２プラテンガラスの厚さｔ２ｍｍを前記第１プラテンガラスの厚さｔ１ｍｍに対し、前記段差をｄｍｍ、前記第１、第２プラテンガラスの屈折率をｎとした場合に、
ｔ２＝ｔ１−ｄ（ｎ−１）／ｎ
の関係式を満たす値に設定して成る請求項１に記載の画像読取装置。
【請求項３】
前記第２プラテンには、原稿シートを供給するフィーダユニットが設けられ、
このフィーダユニットは、原稿シートを載置する給紙トレイと、排紙トレイと、シート給送経路とを備え、
前記シート給送経路は、前記給紙トレイから原稿シートを、前記第２プラテンを経由して前記排紙トレイに移送するように構成されていることを特徴とする請求項１に記載の画像読取装置。
【発明の詳細な説明】
【技術分野】
【０００１】
本発明は、スキャナ装置、複写機、ファクシミリー装置など、原稿シート上の画像を読取る画像読取装置に係わり、特に走査キャリッジに搭載され原稿シートの読取面を照明する照明光源の昇温による劣化を抑制する技術に関する。
【背景技術】
【０００２】
この種の画像読取装置として、原稿シートを載置セットして原稿画像を読取るための第１プラテンガラスと、原稿を所定速度で走行させて原稿画像を読取るための第２プラテンガラスとを並設し、前記原稿画像に読取り光を照射する照明光源を搭載したキャリッジを、前記第１、第２プラテンガラスとの間で移動可能に支持する走行ガイド手段に沿って移動可能に構成されたものが良く知られている。
【０００３】
そして、その第１プラテンガラスに原稿シートを載置セットした状態でキャリッジを読取面に沿って走査させ画像を読取るフラットベット読取モードと、また第２プラテンガラスの読取部に対し原稿シートを一定速度で走行させスリット露光で画像を読取るシートスルー読取モードとの一方を適宜選択し画像を読み取る様になっている。
【０００４】
例えば特許文献１には、第１、第２のプラテンガラスを並設し、このプラテンガラス下方に原稿を照明する照明光源を搭載したキャリッジ（走査光学部）を配置し、プラテン上方に原稿シートを自動給送するフィーダユニットを装備した装置が開示されている。
【０００５】
このような装置において、第１、第２のプラテンガラスの下方をガラス面に沿って移動するキャリッジは、特に厚く重い本を第１のプラテンガラス上に載置し、その本を上方より押え付けることで、第１のプラテンガラスが歪み下方に変位した状態であっても、読取走査に支障が生じることが無い様に、第１のプラテンガラスの対抗面から十分に間隔を隔て配置される。
【０００６】
また、キャリッジ（走査光学部）に搭載した照明光源による装置内部の温度が上昇し、その熱の影響で照明光源の寿命の低下、画像読取センサの検出特性に影響を与えることから、装置内部の温度上昇を抑えるために空気を循環させ冷却するためのファンが複数個取り付けられている。
【先行技術文献】
【特許文献】
【０００７】
【特許文献１】特開２００４−２４２２１１号公報
【発明の概要】
【発明が解決しようとする課題】
【０００８】
しかしながら、この様にファンを使った冷却方法では、フラットベット読取モードの様にキャリッジが読取時に移動する場合には可也の冷却効果を得ることが出来るものの、シートスルー読取モードの様にキャリッジが一箇所に停止した状態で画像を読取る場合には、キャリッジ内に熱がこもり易く、十分な冷却効果が得られず、結果、照明光源の寿命低下を抑えることが出来ず、照明光源の交換を余儀なくされている。
【０００９】
また、上述の特許文献１に開示する様に、シートスルー読取モードでキャリッジが停止する位置に更なるファンを配備し、集中的に冷却する方法も有るが、装置の大型化、コスト高を招く等問題が有り、実用的対策とは言えない。
【００１０】
そこで本発明者は、第１に照明光源の光量が距離の二乗に反比例すること、第２にシートスルー読取モードで使う第２プラテンガラスの幅が第１プラテンガラスの幅に比べ極端に短く、且つ原稿シートの負荷が掛からず、第１プラテンガラスの様に歪むことが無いことを前提に、第２プラテンガラスとキャリッジとの間隔を狭め、近接させることで増大した光量相当分だけ照明光源の発光量を落すことで、照明光源の発熱量を軽減するとの着想に至った。
【００１１】
本発明は、シートスルー読取モードで使う第２プラテンガラスによる読取面を、フラットベット読取モードで使う第１プラテンガラスによる読取面に対し、照明光源側に近づけると共に、その近づけたことによる焦点ボケを同時に解消することで、照明光源の発光量を下げることで、少なくとも照明光源の劣化を解消することが出来る画像読取装置の提供をその課題としている。
【課題を解決するための手段】
【００１２】
上記課題を達成するため本発明の画像読取装置は、原稿シートを載置セットして原稿画像を読取るための第１プラテンガラスと、前記第１プラテンガラスに並設され、原稿を所定速度で走行させて原稿画像を読取るための第２プラテンガラスと、前記原稿画像に読取り光を照射する照明光源を搭載したキャリッジと、前記プラテンガラス上の原稿画像を線順位で光電変換する画像読取センサと、前記原稿画像からの反射光を前記画像読取センサに結像するための結像光学手段と、前記キャリッジを前記第１、第２プラテンガラスとの間で移動可能に支持する走行ガイド手段と、前記走行ガイド手段に沿って前記キャリッジを移動するキャリッジ駆動手段と、前記照明光源の光量を調整する調光手段と、前記キャリッジ駆動手段と前記調光手段を制御する制御手段と、を備え、前記第２プラテンガラスの原稿コンタクト面と、前記第１プラテンガラスの原稿コンタクト面との間には段差が設けられ、この段差は、前記第２プラテンガラス上の原稿画像が前記第１プラテンガラス上の原稿画像より前記光源に接近した位置となるように形成すると共に、前記結像光学手段と前記画像読取センサまでの距離を同一距離に、前記第２プラテンガラスの厚さを、前記第１プラテンガラスの厚さに対し、前記第１、第２プラテンガラスの前記結像光学手段までの各空気換算距離が等しくなる厚さに設定し、前記制御手段で、前記キャリッジを前記第１プラテンガラスと第２プラテンガラスとの間で位置移動する際に、前記調光手段で前記照明光源を前記段差に応じた光量に調整する様になしたものである。
【００１３】
尚、前記第２プラテンガラスの厚さをｔ２ｍｍ、前記第１プラテンガラスの厚さをｔ１ｍｍ、前記段差をｄｍｍ、前記第１、第２プラテンガラスの屈折率をｎとした場合に、前記第２プラテンガラスの厚さｔ２ｍｍを前記第１プラテンガラスの厚さｔ１ｍｍに対し、
ｔ２＝ｔ１−ｄ（ｎ−１）／ｎ
の関係式を満たす値に設定している。
【発明の効果】
【００１４】
本発明は、シートスルー読取モードで使う第２プラテンガラスによる読取面を、フラットベット読取モードで使う第１プラテンガラスによる読取面に対し、照明光源側に近づける様に第１、第２プラテンガラスの原稿載置面に段差を形成すると共に、その近づけたことによる焦点ボケを同時に解消することで、照明光源の発光量を下げることで、少なくとも照明光源の劣化を解消することが出来る画像読取装置の提供することが出来る。
【００１５】
また、予め前記第２プラテンガラスの厚さを前記第１プラテンガラスの厚さに対し予め設定することで、焦点ボケを起こすことが無く、焦点調整手段を必要としない。
【図面の簡単な説明】
【００１６】
【図１】本発明に係わる画像読取装置の全体構成を示す要部説明図。
【図２】本発明に係わる画像読取装置における第１第２プラテンの高さ位置を示す要部説明図。
【図３】図４の装置における照明光源の指向特性を説明する説明図。
【図４】図４の装置における光源位置と段差との関係を示す実験データを示す。
【図５】図４の装置における照明光源の発光量の関係を説明する説明図。
【図６】従来一般的に知られる画像読取装置における第１第２プラテンの高さ位置を示す要部説明図。
【図７】本発明の前提技術として提案する画像読取装置における第１第２プラテンの高さ位置を示す要部説明図。
【発明を実施するための形態】
【００１７】
［本発明の装置全体構成］
図１は本発明に係わる画像読取装置の全体構成を示す要部説明図で、まず、画像読取装置の全体構成について説明するに、この読取装置はスキャナユニットＡと、フィーダユニットＢとから構成され、フィーダユニットＢはスキャナユニットＡの上部に設置されている。スキャナユニットＡは同図に示すように装置フレーム１の上面に第１プラテンガラス２と第２プラテンガラス３とが並列に配置されている。上記フィーダユニットＢは第２プラテン３に原稿シートを給送するフィーダ機構４と、上記第１プラテン２上の原稿を覆うプラテンカバー５とから構成され、スキャナユニットＡの上面に開閉自在にヒンジ連結されている。以下各構成を詳述する。
【００１８】
［スキャナユニットの構成］
スキャナユニットＡは装置フレーム１に上述の第１プラテンガラス２と第２プラテンガラス３を備え、このケーシング内部にキャリッジ６が内蔵されている。第１プラテン２は、そのコンタクト面（第１コンタクト面）２ａは最大サイズ原稿シートを載置可能な寸法形状に構成されている。第２プラテン３は最大サイズ原稿シートの幅サイズの寸法形状に構成されている。そして、そのコンタクト面（第２コンタクト面）３ａは図２に示すように段差ｄを有するように配置されている。
【００１９】
上記キャリッジ６は、図２に示すようにキャリッジフレーム１５と、光源ランプ９と、反射ミラー１０と、集光レンズ７と、画像読取センサ８と、から構成されている。キャリッジフレーム１５は、耐熱性に富んだ樹脂で構成され、光源ランプ９と撮像素子（反射ミラー、集光レンズ）１０と、画像読取センサ８とを搭載する。
【００２０】
そしてこのキャリッジフレーム１５は装置フレーム１に設けられた一対のガイドレール１２に軸支持されている。そして前述したように光源ランプ９は、その光源中心と第１プラテン２の第１コンタクト面２ａとは距離（Ｌ）、第２プラテン３の第２コンタクト面３ａとは距離（Ｌ−ｄ）の位置に配置されている。
【００２１】
上記キャリッジ６は図１左右方向の副走査方向に往復動可能に支持されている。そして第１プラテンに沿って領域ａｒ１を往復動するようにガイドレール１２に支持されている。またこのキャリッジ６は第２プラテン３の画像読取位置ｒｅ１と、基準板２０読取位置ｒｅ２に位置移動可能に支持されている。そして装置フレーム１にはキャリッジ６の移動方向に一対のプーリ（不図示）が配置され、このプーリ間に架け渡された走行ワイヤにキャリッジフレーム１５が連結してある。このプーリの一方はキャリッジモータ（不図示）に連結されている。
【００２２】
上記キャリッジフレーム１５には第１第２プラテンガラス２、３と対向する位置に読取開口１１が形成され、光源ランプ９からの光をプラテン上の原稿画像に照射し、その反射光を反射ミラー１０ａ〜１０ｄで集光レンズ７に案内し、このレンズで画像読取センサ８上に結像する。
【００２３】
上記光源ランプ（光源）９は、蛍光灯、キセノンランプ、ＬＥＤなどの棒状発光体或いは点状発光素子の光を線状光として照射する反射構造を採用する。このように構成された光源ランプ９はキャリッジフレーム１５に一体的に取付けられ、読取開口１１から第１第２ガラス２、３上の原稿シートに読取光を照射する。
【００２４】
上記反射ミラー１０は、所定長さの光路長を形成するように適宜複数枚で構成され、図示のものは第１ミラー１０ａで原稿画像の反射光を第２ミラー１０ｂに向けて偏向し、この光を第３ミラー１０ｃから第４ミラー１０ｄに導き、そして集光レンズ７に案内する。尚、原稿画像の反射光はこのような光路形成に限らず例えば第１、第２、２つのミラーで光路形成することも可能である。
【００２５】
上記集光レンズ７は図２に示すように１枚若しくは複数枚の撮像レンズで構成され、反射ミラー１０から送られた原稿画像の反射光を画像読取センサ８上に結像する。また、上記画像読取センサ８は、ＣＣＤなどの光電変換センサで構成され、集光レンズ７から送られた原稿画像の反射光を光電変換する。
【００２６】
特に、図示の画像読取センサ８は、カラーラインセンサで構成され、Ｒ（Ｒｅｄ）、Ｇ（Ｇｒｅｅｎ）、Ｂ（Ｂｌｕｅ）の各画素を構成するセンサ素子をライン状に３列配置している。このような構成の画像読取センサ８は基板８ａに取付けられ、この基板８ａがキャリッジフレーム１５に固定されている。
【００２７】
このように構成されたキャリッジ６は、光源（光源ランプ９）からプラテン上の原稿画像に光を照射し、その反射光を反射ミラー１０で集光レンズ７に導き、ラインセンサ（画像読取センサ）８上に結像する。そしてこの結像された光をラインセンサ（画像読取センサ）８で電気的に変換して出力ケーブル（図示せず）から出力する。尚この出力ケーブルからの電気信号は図示しないデータ処理部で２値化され、ディザ補正など画像処理され外部装置に出力される。
【００２８】
［フィーダユニットの構成］
上述の第１、第２プラテンガラス２、３の上方には原稿シートを第２プラテンガラス３に給送するフィーダユニットＢが装備されている。このフィーダユニットＢは第２プラテン３に給紙トレイ４１に載置した原稿シートを給送する給紙機構４と、第２プラテン３を覆うプラテンカバー５を備えている。
【００２９】
給紙機構４を図１に基づいて説明すると、原稿シートを載置する給紙トレイ３３と、排紙トレイ３４と、給紙トレイ３３から排紙トレイ３４に第２プラテンガラス３を介して原稿を給送する給紙経路３５で構成される。給紙トレイ３３には原稿シートを１枚ずつ分離給送する給紙ローラ２５と、レジストローラ３０が配置されている。また給送経路３５には、原稿シートを所定速度で第２プラテンガラス３に給送するリードローラ３６と、この第２プラテンガラス３からの原稿を排紙トレイ３４に向けて移送する搬出ローラ３７と排紙ローラ３８が設けられている。
【００３０】
［制御構成］
図１のり装置において、制御構成は図示しないが、例えば制御ＣＰＵで画像読取装置を制御する。この制御ＣＰＵにはコントロールパネルを設けて画像読取を第１プラテン２で実行する（ブックモード）のか、第２プラテンで実行する（ＡＤＦモード）のかオペレータが指定するように構成する。そして制御ＣＰＵはブックモードが選択されたときにはキャリッジ６を第１プラテン２の読取り開始位置に、ＡＤＦモードのときにはキャリッジ６を第２プラテンの読取り開始位置に位置移動する。このキャリッジ６の位置移動は前述したキャリッジモータ（不図示）の制御で行う。
【００３１】
［本発明の基本的構成］
次に、図２は本発明に係わる要部拡大図で、本発明の基本的構成に基づき説明する。
本発明は、画像読取装置に原稿シートを載置セットして静止状態の原稿画像を読取るための第１プラテンガラス２と、原稿シートを所定速度で走行させて移動する原稿画像を読取るための第２プラテンガラス３を設ける。
【００３２】
この第１プラテンガラス２は、材質がフロートガラスからなる板厚ｔ１が２．８±０．１ｍｍ、屈折率ｎが１．５の平行平面ガラスで、最大サイズシート（例えばＪＩＳ規格Ａ３サイズシート）を載置セットする寸法形状にカットされている。また第２プラテンガラス３は、同様に材質がフロートガラスからなる板厚ｔ２が１．８±０．１ｍｍ、屈折率ｎが１．５の平行平面ガラスで、原稿シートの幅方向（主走査方向）に最大サイズシートに適合し、長さ（副走査方向）は２５ｍｍの寸法形状にカットされている。そしてこの第１、第２プラテンガラス２、３は、互いに副走査方向前後に並設され、その下方に配置され副走査方向に移動可能なキャリッジ６を配置している。
【００３３】
このキャリッジ６は、後述説明する図１の装置フレーム１に設けたガイドレール１２で第１、第２プラテンガラス２、３に沿って副走査方向に位置移動可能に支持されている。このキャリッジ６は耐熱性樹脂などのキャリッジフレーム１５に照明光源９と、反射ミラー１０（１０ａ〜１０ｃ）と、集光レンズ７と、ＣＣＤ等の光電変換センサからなる画像読取センサ８を搭載する。
【００３４】
この照明光源９は、白色のＬＥＤ（Ｌｉｇｈｔ  Ｅｍｉｔｔｉｎｇ  Ｄｉｏｄｅ）、キセノンランプ、蛍光灯などの線状光源でプラテンの幅（主走査方向長さ）サイズに構成している。図示の照明光源９はキャリッジ６のランプハウス１５ａに固定されている。キャリッジ６には第１、第２プラテンガラス２、３に対向する位置に読取開口１１が形成され、この読取開口１１から照明光源９の光がプラテンガラス上の原稿シートに向け照射するようになっている。
【００３５】
そして原稿画像からの反射光を反射ミラー１０（１０ａ〜１０ｃ）を介し結像レンズ７に案内し、この結像レンズ７で集光した光を画像読取センサ８で光電変換する。
【００３６】
そこで、第１プラテン２において原稿シートを載置セットするコンタクト面（以下「第１コンタクト面」という）２ａと、第２プラテン３において所定速度で走行する原稿シートをガイドするコンタクト面３ａ（以下「第２コンタクト面」という）との間に段差ｄを設けている。この段差ｄは第２プラテンガラス３上の原稿画像面が第１プラテンガラス２上の原稿画像面より（キャリッジ６に搭載した）照明光源９に接近した位置となるように形成している。
【００３７】
そしてこの第１、第２プラテンガラス２、３の下方で副走査方向に移動可能にガイドレール１２に支持された上記キャリッジ６は、特に第１プラテン２の第１コンタクト面２ａ上にブック本が置かれ、コピーの際にそのブック本が第１コンタクト面２ａから浮き上がらない様に上から抑え付けられた時に、第１プラテン２が歪んでも副走査移動に支障をきたさぬ様に平面内を往復動可能に支持され、この結果、キャリッジ６内に搭載した照明光源９と第１プラテン２の第１コンタクト面２ａの原稿画像面とは距離Ｌを隔て配置される。
【００３８】
一方、第１コンタクト面２ａと、第２コンタクト面３ａとは、互いに平行に配置された平行面を形成すると共に段差ｄを持って配設している。従って、キャリッジ６が移動し第２プラテンガラス３の下方に位置する場合、第２コンタクト面３ａの原稿画像と照明光源９とは距離（Ｌ−ｄ）で隔てられ配置することとなる。
【００３９】
次に、第１コンタクト面２ａと第２コンタクト面３ａとの間に前述の段差ｄについて説明する。この段差ｄは照明光源９に対して第２コンタクト面３ａ上の原稿画像面が第１コンタクト面２ａ上の原稿画像面より距離（ｄ）だけ接近するように形成する。
【００４０】
上記段差ｄの作用について説明する。図４に照明光源（実験はＬＥＤ照明光源）の配光分布の実験値を示す。図４に一例としてＬＥＤ光源のガラス面から測定面の深度を（０、１mm、２mm、３mm）に変化させた副走査方向の配光分布を示す。この実験データから次のことが判明する。例えば照明光源９の位置を副走査方向に２mm（読取点から照明光源の中心を２mmズラした位置）のときの照明光源９と第１プラテンガラス２のコンタクト面２ａとの距離（深さ）との関係は、深度０mmでは出力比が１．１であるが、深度３mmでは０．７となる。
【００４１】
つまり第１プラテンガラス２のコンタクト面２ａに対し、第２プラテンガラス３の位置を３mm下げた位置に配置した場合、同じ照明光源９でプラテンガラス面上では０．７の出力の時、第２プラテンガラス面上では１．１の出力が得られることになる。従って、プラテンガラス基準で、第２コンタクト面３ａでは１．５７倍の光量が得られることになる。コンタクト面での光量を１００％Ｄｕｔｙで点灯しているとすると、約６４％のＤｕｔｙで点灯して同じ光量を得ることができる。
【００４２】
例えば、ＬＥＤ１個に対し３０ｍＡの電流を流して駆動しているとすると、６４％のＤｕｔｙで制御した場合３０ｍＡ×６４％＝１９．２ｍＡ相当の電流量に置き換えることができる。ＬＥＤ内部の温度上昇変化量ΔＴｊ−ｓは、ΔＴｊ−ｓ＝ＬＥＤジャンクションケース間熱抵抗Ｒｔｈｊ−ｓ（℃／Ｗ）×熱量Ｐｂ（Ｗ）で表せる。
【００４３】
ＶＦが３．５Ｖ一定であったとすると、電流３０ｍＡの時と、１９．２ｍＡの時のそれぞれの熱量は、０．０３［Ａ］×３．５［Ｖ］＝０．１０５［Ｗ］、０．０１９２［Ａ］×３．５［Ｖ］＝０．０６７２［Ｗ］となる。Ｒｔｈｊ−ｓが３００［℃／Ｗ］であったとすると、ΔＴｊ−ｓはそれぞれ、３００［℃／Ｗ］×０．１０５［Ｗ］＝３１．５［℃］、３００［℃／Ｗ］×０．０６７２［Ｗ］＝２０．１６［℃］となり、１１［℃］以上も温度が下がることとなる。
【００４４】
以上の実験から明らかなように第１プラテンガラス２のコンタクト面２ａに対して第２プラテンガラス３のコンタクト面３ａを照明光源９に段差ｄだけ接近させることにより、原稿画像面に照射する光量は、段差ｄの２乗に比例して増大し、上記実験値では照明光源９に供給する電力量を６４％に軽減することができ、このときの発熱を１１°Ｃ低下させることが可能となる。
【００４５】
［調光手段の構成］
次に、上述の段差ｄを形成することによって照明光源９の発光量を図５で示すように増減調整する。この発光量調整は、具体的にランプに供給する電流を増減することによって可能である。例えば照明光源９に供給する電流をＰＷＭ制御する。照明光源９のドライバ回路を、照明光源９に供給する供給電流を例えばパルス制御するように構成する。そして後述する制御ＣＰＵで第１プラテンガラス２に照射する場合のデュティ（第１のデュティ値）に対して第２プラテンガラス３に照射するときのデュティ（第２のデュティ値）を低く設定する（第１のデュティ値＞第２のデュティ値）。この第１第２のデュティ値は、両コンタクト面に照射される光量が実質的に同一となるように予め設定する。そして制御ＣＰＵでキャリッジ６を第１プラテン２に位置させるときには第１のデュティ値で、キャリッジ６を第２プラテン３に位置させるときには第２のデュティ値で、電源ランプ９に電源供給する。
【００４６】
［フォーカス調整の構成］
次に、上述の段差ｄを形成することによって原稿画像からの反射光を画像読取センサ８に結像する結像光学手段Ｚの焦点ずれが生ずる。このため、第１プラテンガラス２と第２プラテンガラス３のガラスの厚さｔを予め焦点ずれを起こさない厚さに下記の様に設定している。
【００４７】
図３で各距離を示様に、同一のキャリッジ光学系を用いることが前提で、第２プラテンガラス３を使って画像を読取る流し読取状態と、第１プラテンガラス２を使って画像を読取るフラットベット読取状態でも焦点が合う様にするためには、下記の条件を満たす必要が有り、その条件を満たすことで焦点ずれを起こすことが無い。
【００４８】
まず、光学レンズＬから画像読取センサ８までの物理的距離ｂを変えない条件下で、読取モードの違いによって光学レンズＬから原稿読取面までの物理的距離が同図において、
フラットベット読取状態では、ａ+ｔ1
流し読取状態では、          ａ+ｔ1−ｄ−ｔ2＋ｔ2  ⇒  ａ+ｔ1−ｄ
と成る。
【００４９】
これに対し、上述した第１、第２のプラテンガラスの屈折率をｎとした場合のその時のエアー距離（空気換算距離）は、
フラットベット読取状態では、ａ+ｔ1／n
流し読取状態では、          ａ+ｔ1−ｄ−ｔ2＋ｔ2／n
と成る。
【００５０】
従って、流し読取状態とフラットベット読取状態でも焦点が合う様にするためには、
ａ+ｔ1／n  ＝  ａ+ｔ1−ｄ−ｔ2＋ｔ2／n
の関係式を満足すれば良いことなり、第１のプラテンガラスの厚さｔ1に対し、流し読取ガラスの厚さｔ2の設定値は、
ｔ2  ＝  ｔ1−ｄ／（n／n−１）
となる。
【００５１】
実際に、フロートガラスから形成したフラットベットガラスの厚さｔ1が２．８±０．１ｍｍ、屈折率nが１．５で、段差ｄが３．０ｍｍとした場合、流し読取ガラスの厚さｔ2は、
ｔ2  ＝  ｔ1−ｄ／（n／n−１）
＝  （２．８±０．１）−５／（３．０／１．５−１）
≒  １．８±０．１ｍｍ
とすることで、上記の条件を満たすことが出来る。
【００５２】
尚、図３は照明光源９の指向特性を示すもので、照明光源９がＬＥＤ光源で、その指向角はほぼ６０°位有り、第２のプラテンガラスの位置が上記の様に段差ｄが３．０ｍｍ程度で有ればほとんど光量変化の影響が無いものとしている。
【００５３】
以上の様に、第２コンタクト面３ａを段差ｄだけ照明光源９に近づけることで、第２コンタクト面３ａでの光量が距離の二乗に比例し増大し、第１コンタクト面２ａに載置された原稿を読んだ時に比べ第２コンタクト面３ａに載置された同一原稿を読んだ時の画像が明るくなることで、当然に照明光源９の光量をその増大相当分低くすることで、照明光源９の発熱量を下げることが出来、以って第２プラテンガラス３を使ったシートスルー読取時の温度上昇を下げることが可能で、温度変化による画質斑を抑え、しかも焦点ズレを起こすことが無く、以って画質品質の良好な画像読取を行うことが出来る。
【００５４】
尚、説明した実施例では、キャリッジ６内に照明光源９、反射ミラー１０、結像レンズ７、及び画像読取センサ８（光電変換センサ）を一体搭載した装置で本願を説明しているが、画像読取センサ８を装置フレームの所定位置に固定し、キャリッジ６を二体で構成する２キャリッジタイプの装置にも適用出来る。
【符号の説明】
【００５５】
Ａ      スキャナユニット
Ｂ      フィーダユニット
１      装置フレーム
２      第１プラテンガラス
２ａ    コンタクト面（第１コンタクト面）
３      第２プラテンガラス
３ａ    コンタクト面（第２コンタクト面）
４      フィーダ機構
６      キャリッジ
７      結像レンズ
８      画像読取センサ（光電変換センサ）
９      照明光源
１０    反射ミラー
１１    読取開口
１２    ガイドレール
１５    キャリッジフレーム
１５ａ  ランプハウス
１８      スクリューネジ
２５    給紙ローラ
ｄ      段差
γ      最大撓み
Ｚ      結像光学手段（反射ミラー、結像レンズ）
ＦＳ    フォーカス調整手段
ＭＳ    シフトモータ
【図１】
2011049827.tif 000003
【図２】
2011049827.tif 000004
【図３】
2011049827.tif 000005
【図４】
2011049827.tif 000006
【図５】
2011049827.tif 000007
【図６】
2011049827.tif 000008
【図７】
2011049827.tif 000009